(57)【要約】【課題】設定のためのデータ送信に要する時間を大幅に短縮するようにする。【解決手段】ＬＥＡＲＮボタン１０ｅによるマスターとなるテレビの設定に関わる設定データの転送要求を行う操作に応じて、変更データ要求部１５ａによりマスターとなるテレビの初期設定値に対する変更分のみの変更データの転送が要求され、その要求に応じてマスターとなるテレビから転送される変更データがメモリバンク１５ｃに保存され、ＴＥＡＣＨボタン１０ｆによる変更データを他のテレビへ送信する操作に応じて保存された変更データを変更データ送信制御部１５ｂにより他のテレビへ送信し、そのテレビの設定がマスターとなるテレビの設定に合わせられるようにした。【選択図】図４
2007174290.tif 000002
【特許請求の範囲】
【請求項１】
リモコン装置により、第１機器の設定に関わる設定データを受け取り、その設定データを前記リモコン装置から第２機器に送信してその第２機器の設定を前記第１機器の設定に合わせる設定データ変更システムであって、
前記リモコン装置は、
前記第１機器の設定に関わる設定データの転送要求を行う際に操作される転送要求操作手段と、
この転送要求操作手段の操作に応じて前記第１機器の初期設定値に対する変更分のみの変更データの転送を要求する変更データ要求手段と、
前記要求に応じて前記第１機器から転送される前記変更データを保存する保存手段と、
前記変更データを前記第２機器へ送信する際に操作される送信操作手段と、
この送信操作手段の操作に応じて前記保存された変更データを前記第２機器へ送信する変更データ送信手段とを有し、
前記第１機器は、前記変更データ要求手段からの要求に応じて前記初期設定値に対する変更分のみの変更データの転送制御を行う第１制御手段を有し、
前記第２機器は、前記変更データ送信手段からの変更データに基づき設定データの変更制御を行う第２制御手段を有する
ことを特徴とする設定データ変更システム。
【請求項２】
前記変更データ要求手段は、前記第１機器に対し転送要求コマンドを出力し、
前記変更データ送信手段は、前記第２機器へ前記変更データに応じた書き換えを要求する書換要求コマンドを出力する
ことを特徴とする請求項１に記載の設定データ変更システム。
【請求項３】
前記転送要求操作手段の操作に応じて前記転送要求を知らせる転送要求告知手段と、
前記送信操作手段の操作に応じて前記変更データの送信を知らせる送信告知手段とを有する
ことを特徴とする請求項１又は２に記載の設定データ変更システム。
【請求項４】
前記第１機器の設定に関わる設定データを受け取るためのケーブルの一端が装着されるコネクタを有することを特徴とする請求項１〜３のいずれかに記載の設定データ変更システム。
【請求項５】
第１機器の設定に関わる設定データを受け取り、その設定データを第２機器に送信してその第２機器の設定を前記第１機器の設定に合わせるリモコン装置であって、
前記第１機器の設定に関わる設定データの転送要求を行う際に操作される転送要求操作手段と、
この転送要求操作手段の操作に応じて前記第１機器の初期設定値に対する変更分のみの変更データの転送を要求する変更データ要求手段と、
前記要求に応じて前記第１機器から転送される前記変更データを保存する保存手段と、
前記変更データを前記第２機器へ送信する際に操作される送信操作手段と、
この送信操作手段の操作に応じて前記保存された変更データを前記第２機器へ送信する変更データ送信手段とを備える
ことを特徴とするリモコン装置。
【請求項６】
前記変更データ要求手段は、前記第１機器に対し転送要求コマンドを出力し、
前記変更データ送信手段は、前記第２機器へ前記変更データに応じた書き換えを要求する書換要求コマンドを出力する
ことを特徴とする請求項５に記載のリモコン装置。
【請求項７】
前記転送要求操作手段の操作に応じて前記転送要求を知らせる転送要求告知手段と、
前記送信操作手段の操作に応じて前記変更データの送信を知らせる送信告知手段とを有する
ことを特徴とする請求項５又は６に記載のリモコン装置。
【請求項８】
前記第１機器の設定に関わる設定データを受け取るためのケーブルの一端が装着されるコネクタを有することを特徴とする請求項５〜７のいずれかに記載のリモコン装置。
【請求項９】
第１機器の設定に関わる設定データを受け取り、その設定データを第２機器に送信してその第２機器の設定を前記第１機器の設定に合わせる設定データ変更方法であって、
前記第１機器の設定に関わる設定データの転送要求を行う操作に応じて前記第１機器の初期設定値に対する変更分のみの変更データの転送を要求するステップと、
前記要求に応じて前記第１機器から転送される前記変更データを保存するステップと、
前記変更データを前記第２機器へ送信する操作に応じて前記保存された変更データを前記第２機器へ送信するステップとを有する
ことを特徴とする設定データ変更方法。
【請求項１０】
前記変更データの転送を要求する際、前記第１機器に対し転送要求コマンドを出力するステップと、
前記変更データを送信する際、前記第２機器へ前記変更データに応じた書き換えを要求する書換要求コマンドを出力するステップとを有する
ことを特徴とする請求項９に記載の設定データ変更方法。
【請求項１１】
前記転送要求を行う操作に応じて前記転送要求を知らせるステップと、
前記送信を行う操作に応じて前記変更データの送信を知らせるステップとを有する
ことを特徴とする請求項９又は１０に記載の設定データ変更方法。
【発明の詳細な説明】
【技術分野】
【０００１】
本発明は、たとえば任意のテレビの設定データを他のテレビにコピーするための設定データ変更システム、リモコン装置及び設定データ変更方法に関する。
【背景技術】
【０００２】
テレビにおいては、たとえばチャンネル選局を行うために、予め、チャンネル番号毎のメモリに、受信したい放送周波数の記憶を行うチャンネルプリセット操作が必要である。この操作には、ユーザが、選局したい放送を各々のチャンネル番号のメモリへ記憶するマニュアル手法と、最小の周波数から順々に自動的にアップしながら、放送の有り／無しの検出を行い、有りならばチャンネル番号のメモリに周波数を自動的に記憶するオート手法とがある。
【０００３】
ところで、このようなチャンネルプリセットの場合、工場出荷時の調整や、サービスマンによる調整に手間が掛かっている。また、リモートコントロール装置（以下、適宜、リモコン装置という）等を用いてユーザにより行われる画質調整や音質調整等のプリセットの設定についても同様に手間が掛かっている。
【０００４】
このようなプリセットの調整や設定が容易に行われるようにしたものとして、特許文献１では、プリセット制御装置と、不揮発性記憶装置と、リモコン波形受信装置とを具備し、釦操作によって入力されたプリセットデータ、もしくは、リモコン装置と他機器（ＴＶやＶＴＲ等のＡＶ機器、あるいは他のリモコン装置）間のデータ双方向転送によって得たプリセットデータを、不揮発性記憶装置に保存し、そのプリセットデータをテレビやＶＴＲに送信するようにしたリモコン装置を提案している。
【０００５】
また、特許文献２では、放送用受信機のコネクタに外部制御データ蓄積ユニットを接続し、オンスクリーンメッセージに従って、放送用受信機側の制御データを外部制御データ蓄積ユニット側に転送するか、あるいは外部制御データ蓄積ユニット側の制御データを放送用受信機側に転送するかを行うようにすることで、放送用受信機側の画質や音質等の設定を容易に行い得るデータを転送する方法を提案している。
【特許文献１】特開平０８−３３０６１号公報
【特許文献２】特表平１１−５０６２９７号公報
【発明の開示】
【発明が解決しようとする課題】
【０００６】
このように、上述した特許文献１では、データ双方向転送によって得たプリセットデータを、不揮発性記憶装置に保存し、そのプリセットデータをテレビやＶＴＲに送信することで、テレビやＶＴＲのプリセットの簡易化が図れるようになる。
【０００７】
ところが、プリセットデータとしては、たとえばチャンネルプリセット、ＶＴＲプリセット、画質プリセット、音声プリセット等の各データがあり、特許文献１でのリモートコントロール装置により、たとえばホテル等において任意のテレビの設定データを用い、他の複数台のテレビの設定データを変更しようとすると、それぞれのテレビに送信される設定データがテレビの設定に関わる全てのデータとされてしまう。
【０００８】
また、上述した特許文献２では、外部制御データ蓄積ユニットを、たとえばホテル等において任意のテレビに接続し、その外部制御データ蓄積ユニットに蓄積した制御データをそれぞれのテレビに転送することで、それぞれのテレビの画質や音質等の設定を容易に行うことができる。
【０００９】
ところが、テレビと外部制御データ蓄積ユニットとの間でやり取りされる制御データは、輝度、コントラスト、飽和、音量、バランス、メニュー言語選択等のユーザが操作し得る設定に対する全てのデータである。
【００１０】
そのため、特許文献１及び特許文献２に示されたデータの転送方法では、転送されるデータ量が多くなり、データの転送時間が長引いてしまうという問題があった。
【００１１】
本発明は、このような状況に鑑みてなされたものであり、上記問題点を解決することができる設定データ変更システム、リモコン装置及び設定データ変更方法を提供することを目的とする。
【課題を解決するための手段】
【００１２】
本発明の設定データ変更システムは、リモコン装置により、第１機器の設定に関わる設定データを受け取り、その設定データを前記リモコン装置から第２機器に送信してその第２機器の設定を前記第１機器の設定に合わせる設定データ変更システムであって、前記リモコン装置は、前記第１機器の設定に関わる設定データの転送要求を行う際に操作される転送要求操作手段と、この転送要求操作手段の操作に応じて前記第１機器の初期設定値に対する変更分のみの変更データの転送を要求する変更データ要求手段と、前記要求に応じて前記第１機器から転送される前記変更データを保存する保存手段と、前記変更データを前記第２機器へ送信する際に操作される送信操作手段と、この送信操作手段の操作に応じて前記保存された変更データを前記第２機器へ送信する変更データ送信手段とを有し、前記第１機器は、前記変更データ要求手段からの要求に応じて前記初期設定値に対する変更分のみの変更データの転送制御を行う第１制御手段を有し、前記第２機器は、前記変更データ送信手段からの変更データに基づき設定データの変更制御を行う第２制御手段を有することを特徴とする。
また、前記変更データ要求手段は、前記第１機器に対し転送要求コマンドを出力し、前記変更データ送信手段は、前記第２機器へ前記変更データに応じた書き換えを要求する書換要求コマンドを出力するようにすることができる。
また、前記転送要求操作手段の操作に応じて前記転送要求を知らせる転送要求告知手段と、前記送信操作手段の操作に応じて前記変更データの送信を知らせる送信告知手段とを有するようにすることができる。
また、前記第１機器の設定に関わる設定データを受け取るためのケーブルの一端が装着されるコネクタを有するようにすることができる。
本発明のリモコン装置は、第１機器の設定に関わる設定データを受け取り、その設定データを第２機器に送信してその第２機器の設定を前記第１機器の設定に合わせるリモコン装置であって、前記第１機器の設定に関わる設定データの転送要求を行う際に操作される転送要求操作手段と、この転送要求操作手段の操作に応じて前記第１機器の初期設定値に対する変更分のみの変更データの転送を要求する変更データ要求手段と、前記要求に応じて前記第１機器から転送される前記変更データを保存する保存手段と、前記変更データを前記第２機器へ送信する際に操作される送信操作手段と、この送信操作手段の操作に応じて前記保存された変更データを前記第２機器へ送信する変更データ送信手段とを備えることを特徴とする。
また、前記変更データ要求手段は、前記第１機器に対し転送要求コマンドを出力し、前記変更データ送信手段は、前記第２機器へ前記変更データに応じた書き換えを要求する書換要求コマンドを出力するようにすることができる。
また、前記転送要求操作手段の操作に応じて前記転送要求を知らせる転送要求告知手段と、前記送信操作手段の操作に応じて前記変更データの送信を知らせる送信告知手段とを有するようにすることができる。
また、前記第１機器の設定に関わる設定データを受け取るためのケーブルの一端が装着されるコネクタを有するようにすることができる。
本発明の設定データ変更方法は、第１機器の設定に関わる設定データを受け取り、その設定データを第２機器に送信してその第２機器の設定を前記第１機器の設定に合わせる設定データ変更方法であって、前記第１機器の設定に関わる設定データの転送要求を行う操作に応じて前記第１機器の初期設定値に対する変更分のみの変更データの転送を要求するステップと、前記要求に応じて前記第１機器から転送される前記変更データを保存するステップと、前記変更データを前記第２機器へ送信する操作に応じて前記保存された変更データを前記第２機器へ送信するステップとを有することを特徴とする。
また、前記変更データの転送を要求する際、前記第１機器に対し転送要求コマンドを出力するステップと、前記変更データを送信する際、前記第２機器へ前記変更データに応じた書き換えを要求する書換要求コマンドを出力するステップとを有するようにすることができる。
また、前記転送要求を行う操作に応じて前記転送要求を知らせるステップと、前記送信を行う操作に応じて前記変更データの送信を知らせるステップとを有するようにすることができる。
本発明の設定データ変更システム、リモコン装置及び設定データ変更方法では、第１機器の設定に関わる設定データの転送要求を行う操作に応じて第１機器の初期設定値に対する変更分のみの変更データの転送を要求し、その要求に応じて第１機器の第１制御手段から転送される変更データを保存し、変更データを第２機器へ送信する操作に応じて保存された変更データを第２機器へ送信することにより、その機器の設定が第２制御手段により第１機器の設定に合わせられる。
【発明の効果】
【００１３】
本発明の設定データ変更システム、リモコン装置及び設定データ変更方法によれば、第１機器からは初期設定値に対する変更分のみの変更データを受け取り、その変更データを第２機器へ送信するので、その第２機器の設定を第１機器の設定に合わせるために送信するデータ量を少なくでき、データ送信に要する時間を大幅に短縮することができる。
【発明を実施するための最良の形態】
【００１４】
本実施形態では、転送要求操作手段による第１機器の設定に関わる設定データの転送要求を行う操作に応じて、変更データ要求手段により第１機器の初期設定値に対する変更分のみの変更データの転送が要求され、その要求に応じて第１機器の第１制御手段から転送される変更データが保存手段に保存され、送信操作手段による変更データを第２機器へ送信する操作に応じて保存された変更データを変更データ送信手段により第２機器へ送信し、その機器の設定が第２制御手段により第１機器の設定に合わせられるようにすることで、その第２機器の設定を第１機器の設定に合わせるために送信するデータ量を少なくし、データ送信に要する時間を大幅に短縮するようにした。
【実施例】
【００１５】
以下、本発明の実施例の詳細について説明する。図１は、本発明の設定データ変更システムの一実施例の概要を説明するための図である。
【００１６】
同図に示す設定データ変更システムは、リモコン装置であるデータコピーリモコン装置１０により、第１機器であるマスターとなるテレビ２０Ａの設定に関わる設定データのうち、後述の変更データのみを受け取り、その変更データをデータコピーリモコン装置１０から第２機器であるテレビ２０ａ・・・に送信してそのテレビ２０ａ・・・の設定をテレビ２０Ａの設定に合わせる構成となっている。
【００１７】
また、同図に示すテレビ２０Ａ，２０ａ・・・は、たとえばホテルの各部屋に設置されているものとする。なお、同図に示すデータコピーリモコン装置１０は、マスターとなるテレビ２０Ａにおいて設定された画質や音質等の変更分のみの変更データを図示しないケーブルを介して受け取って内部に保存し、その保存した変更データを複数の他のテレビ２０ａに赤外線信号によって送信するものである。また、画質や音質等の変更分のみの変更データとは、工場出荷時に予め設定されている初期設定値からの変更分のことである。
【００１８】
図２及び図３は、データコピーリモコン装置１０の一例を示す図である。これらの図に示すように、データコピーリモコン装置１０は、たとえばＬＥＡＲＮランプ１０ａ、ＤＯＮＥランプ１０ｂ、ＴＥＡＣＨランプ１０ｃ、ＭＥＭＯＲＹ・ＳＥＬＥＣＴランプ１０ｄ、ＬＥＡＲＮボタン１０ｅ、ＴＥＡＣＨボタン１０ｆ、ＲＯＯＭボタン１０ｇ、ＭＡＳＴＥＲボタン１０ｈ、ＤＩＡＧＮＯＳＴＩＣＳボタン１０ｉ、ＭＥＭＯＲＹ・ＳＥＬＥＣＴボタン１０ｊ、コネクタ１１を有している。
【００１９】
転送要求告知手段としてのＬＥＡＲＮランプ１０ａは、マスターとなるテレビ２０Ａにおいて設定された画質や音質等の変更分のみの変更データを受け取って内部に保存していることを点灯によって知らせるものである。ＤＯＮＥランプ１０ｂは、テレビ２０Ａ側から受け取った変更データの保存の終了、あるいは保存した変更データの他のテレビ２０ａへの送信完了を点灯によって知らせるものである。
【００２０】
送信告知手段としてのＴＥＡＣＨランプ１０ｃは、上記の変更分のみの変更データを他のテレビ２０ａへ送信中であることを点灯によって知らせるものである。ＭＥＭＯＲＹ・ＳＥＬＥＣＴランプ１０ｄは、選択された後述のメモリバンク１５ｃのメモリ領域を点灯によって知らせるものである。ちなみに、ここではメモリバンク１５ｃのメモリ領域がたとえば３個あり、ＭＥＭＯＲＹ・ＳＥＬＥＣＴランプ１０ｄはそれぞれのメモリ領域に対応させて１〜３まであることを示している。
【００２１】
転送要求操作手段としてのＬＥＡＲＮボタン１０ｅは、マスターとなるテレビ２０Ａにおいて設定された画質や音質等の変更分のみの変更データを受け取って保存する際に操作されるものである。送信操作手段としてのＴＥＡＣＨボタン１０ｆは、上記の変更分のみの変更データを他のテレビ２０ａへ送信する際に操作されるものである。
【００２２】
ＲＯＯＭボタン１０ｇは、テレビ２０Ａ，２０ａ・・・をＭＡＳＴＥＲモードからＲＯＯＭモードに切り替える際に操作されるものである。ここで、ＭＡＳＴＥＲモードとは、ホテルオペレーターによるテレビ２０Ａ，２０ａ・・・の画質や音質等の調節を許可する際に操作されるものである。ＲＯＯＭモードとは、宿泊客によるテレビ２０Ａ，２０ａ・・・の画質や音質等の調節を許可する際に操作されるものである。
【００２３】
ＭＡＳＴＥＲボタン１０ｈは、テレビ２０Ａ，２０ａ・・・をＲＯＯＭモードからＭＡＳＴＥＲモードに切り替える際に操作されるものである。ＤＩＡＧＮＯＳＴＩＣＳボタン１０ｉは、上記の変更分のみの変更データを他のテレビ２０ａへ送信した後、それらのテレビ２０ａでの画質や音質等の調整具合を確認する際に操作されるものである。
【００２４】
ＭＥＭＯＲＹ・ＳＥＬＥＣＴボタン１０ｊは、１〜３のうちのいずれかの後述のメモリバンク１５ｃのメモリ領域にデータを保存するか、あるいはいずれかのメモリ領域に保存されているデータを送信するかを選択する際に操作されるものである。
【００２５】
コネクタ１１は、マスターとなるテレビ２０Ａにおいて設定された画質や音質等の変更分のみの変更データを受け取る際に、テレビ２０Ａとの間で接続される図示しないケーブルの一端が装着されるものである。また、そのケーブルを介し、テレビ２０Ａとの間では、双方向通信が行われるようになっている。
【００２６】
なお、マスターとなるテレビ２０Ａ側からの変更データを受け取る際は、ケーブルを介さずに、無線通信によってデータのやり取りが行われるようにすることも可能である。また、データコピーリモコン装置１０の側面には、後述の信号送信部１２が設けられている。
【００２７】
図４は、データコピーリモコン装置１０の内部構成の一例を示すブロック図である。同図に示すように、データコピーリモコン装置１０は、Ｉ／Ｆ（インタフェース）１３、ランプ駆動回路１４、変更データ要求部１５ａ、変更データ送信制御部１５ｂ、メモリバンク１５ｃ、ＲＯＭ１６ａ、ＲＡＭ１６ｂ、ボタン選択受付部１７、ＣＰＵ１８を備えている。また、これらはバス１９を介して接続されている。
【００２８】
Ｉ／Ｆ（インタフェース）１３は、テレビ２０ａ・・・側へ送信する画質や音質等の変更分のみの変更データ等を信号送信部１２へ出力するものである。また、Ｉ／Ｆ（インタフェース）１３は、コネクタ１１を介して得られるテレビ２０Ａからの画質や音質等の変更分のみの変更データ等を受け取るものである。
【００２９】
ランプ駆動回路１４は、ＬＥＡＲＮボタン１０ｅ、ＴＥＡＣＨボタン１０ｆ、ＭＥＭＯＲＹ・ＳＥＬＥＣＴボタン１０ｊの操作に応じてＬＥＡＲＮランプ１０ａ、ＤＯＮＥランプ１０ｂ、ＴＥＡＣＨランプ１０ｃ、ＭＥＭＯＲＹ・ＳＥＬＥＣＴランプ１０ｄを点灯させるものである。
【００３０】
変更データ要求手段としての変更データ要求部１５ａは、ＬＥＡＲＮボタン１０ｅの操作に応じて、マスターとなるテレビ２０Ａにおいて設定された画質や音質等の変更分のみの変更データの転送を要求するものである。変更データを要求する際には、その転送の要求を示すたとえば転送要求コマンドが出力されるようになっている。
【００３１】
変更データ送信手段としての変更データ送信制御部１５ｂは、ＴＥＡＣＨボタン１０ｆの操作に応じて、上記の変更分のみの変更データを他のテレビ２０ａへ送信するものである。また、変更データ送信制御部１５ｂは、その変更データを送信する際、書換要求を示すたとえば書換要求コマンドを出力するようになっている。なお、書換要求コマンドは、変更データに含ませても良いし、含ませなくても良い。
【００３２】
保存手段としてのメモリバンク１５ｃは、マスターとなるテレビ２０Ａにおいて設定された画質や音質等の変更分のみの変更データ等を保存するものである。ＲＯＭ１６ａには、ＣＰＵ１８による動作手順等を示す制御プログラム等が保存されている。
【００３３】
ＲＡＭ１６ｂは、ＣＰＵ１８による演算処理の際の作業エリア等として用いられるものである。ボタン選択受付部１７は、ＬＥＡＲＮボタン１０ｅ、ＴＥＡＣＨボタン１０ｆ、ＲＯＯＭボタン１０ｇ、ＭＡＳＴＥＲボタン１０ｈ、ＤＩＡＧＮＯＳＴＩＣＳボタン１０ｉ、ＭＥＭＯＲＹ・ＳＥＬＥＣＴボタン１０ｊのいずれかの選択操作を受け付けるものである。
【００３４】
ＣＰＵ１８は、ＲＯＭ１６ａに保存されている制御プログラム等を読み込み、ボタン選択受付部１７によって受け付けられたＬＥＡＲＮボタン１０ｅ、ＴＥＡＣＨボタン１０ｆ、ＲＯＯＭボタン１０ｇ、ＭＡＳＴＥＲボタン１０ｈ、ＤＩＡＧＮＯＳＴＩＣＳボタン１０ｉ、ＭＥＭＯＲＹ・ＳＥＬＥＣＴボタン１０ｊのいずかの操作に応じた制御を行うものである。
【００３５】
図５は、テレビ２０Ａ，２０ａ・・・内部構成の一例を示すブロック図である。なお、テレビ２０Ａ，２０ａ・・・は、ほぼ同じ構成とされているため、以下ではテレビ２０Ａを代表させて説明するものとする。
【００３６】
同図に示すように、テレビ２０Ａは、アンテナ２１、チューナ２２、信号処理回路２３、表示部２４、信号受信部２５、制御ユニット２６、データメモリ２７、スイッチ２８、コネクタ２９を備えている。なお、図中符号２１ａはクロック信号線を示し、図中符号２１ｂはデータ信号線を示している。また、同図では、チューナ２２にアンテナ２１が接続されている場合を示しているが、アンテナ２１に代えてチューナ２２がＣａｂｌｅのシステムに接続されている構成であってもよい。
【００３７】
アンテナ２１は、放送電波を受ける。チューナ２２は、図示しないテレビ専用リモコン装置等からの選局指示に応じて同調をとる。信号処理回路２３は、チューナ２２からの映像信号を処理して表示部２４に表示させる。表示部２４は、たとえば液晶表示パネル等の薄型パネルで構成され、映像を表示する。信号受信部２５は、データコピーリモコン装置１０の信号送信部１２からの赤外線信号を受信する。
【００３８】
第１制御手段（又はテレビ２０ａ側の第２制御手段）としての制御ユニット２６は、たとえば図示しないテレビ専用リモコン装置等からの選局指示であるプログラム番号を受け取ると、そのプログラム番号に相当するデータメモリ２７からチャンネル番号を読取り、チューナ２２による同調を制御する。また、制御ユニット２６は、コネクタ２９にデータコピーリモコン装置１０のコネクタ１１との間に接続される図示しないケーブルの他端が装着されたことを検知すると、スイッチ２８をクロック信号線２１ａ及びデータ信号線２１ｂがコネクタ２９に接続されるように切り替える。
【００３９】
また、制御ユニット２６は、データコピーリモコン装置１０の変更データ要求部１５ａからの変更データを要求する上述の転送要求コマンドを受け取ると、画質や音質等の変更分のみの変更データをデータメモリ２７から読み取ってデータコピーリモコン装置１０側に送信する。
【００４０】
また、制御ユニット２６は、データコピーリモコン装置１０の信号送信部１２からの画質や音質等の変更分のみの変更データを、信号受信部２５を介して受け取ると、その変更データに応じてデータメモリ２７内の該当する設定値のデータを書き換える。
【００４１】
データメモリ２７には、後述の図８に示すような画質、音質等の初期設定値や、後述の図９及び図１０に示すような画質、音質等の変更可能な設定値、さらには上述したプログラム番号等のデータが記憶されている。
【００４２】
スイッチ２８は、制御ユニット２６による制御によって、クロック信号線２１ａ及びデータ信号線２１ｂをコネクタ２９に対し断続する。コネクタ２９には、データコピーリモコン装置１０のコネクタ１１との間に接続される図示しないケーブルの他端が装着される。
【００４３】
次に、設定データ変更方法について説明する。まず、データコピーリモコン装置１０により、マスターとなるテレビ２０Ａにおいて設定された画質や音質等の変更分のみの変更データを受け取る場合、上述したように、データコピーリモコン装置１０のコネクタ１１と、テレビ２０Ａのコネクタ２９との間に図示しないケーブルを装着し、データコピーリモコン装置１０とテレビ２０Ａとを接続する。
【００４４】
このとき、テレビ２０Ａ側では、制御ユニット２６により、コネクタ２９にデータコピーリモコン装置１０のコネクタ１１との間に接続される図示しないケーブルの他端が装着されたことが検知され、スイッチ２８をクロック信号線２１ａ及びデータ信号線２１ｂがコネクタ２９に接続されるように切り替える。
【００４５】
次いで、図６に示すように、データコピーリモコン装置１０のＬＥＡＲＮボタン１０ｅを操作すると（ステップＳ１）、変更データ要求部１５ａから図示しないケーブルを介してテレビ２０Ａ側にたとえば上述の転送要求コマンドが出力される。
【００４６】
このとき、テレビ２０Ａ側では、制御ユニット２６により、データコピーリモコン装置１０の変更データ要求部１５ａからの変更データを要求する上述の転送要求コマンドが受け取られると、画質や音質等の変更分のみの変更データがデータメモリ２７から読み取られてデータコピーリモコン装置１０側に転送される（ステップＳ２）。
【００４７】
ここで、テレビ２０Ａ側では、たとえば図７に示すように、画質や音質等の設定値と初期設定値とをＩＤによって管理しているものとし、設定値と初期設定値とを比較し、変更になっているＩＤ１、ＩＤ２・・・の変更データのみをデータコピーリモコン装置１０へ送信し、設定値が変更となっていないデータは送信しないようになっている。なお、設定値と初期設定値との比較においては、たとえば変更のあった設定値に変更ビットを立てることで、高速比較が行われるようになっている。
【００４８】
すなわち、画質や音質等の変更分のみの変更データとは、工場出荷時に予め設定されている初期設定値からの変更分のことである。工場出荷時での初期設定値には、図８に示す（ａ）から（ｇ）のようなものがある。
【００４９】
ここでは、説明の都合上、Ｎｏｒｍａｌ  ｍｏｄｅ設定時における初期設定値について説明すると、たとえば図８に示すように、ＡＶ−ＭＯＤＥでは初期設定値が（ａ）に示すようなものとされ、Ｐｉｃｔｕｒｅでは初期設定値が（ｂ）に示すようなものとされ、Ａｕｄｉｏでは初期設定値が（ｃ）に示すようなものとされ、Ｐｏｗｅｒ  Ｃｏｎｔｒｏｌでは初期設定値が（ｄ）に示すようなものとされ、Ｓｅｔｕｐでは初期設定値が（ｅ）に示すようなものとされ、Ｏｐｔｉｏｎでは初期設定値が（ｆ）に示すようなものとされ、Ｄｉｇｉｔａｌ  Ｓｅｔｕｐでは初期設定値が（ｇ）に示すようなものとされている。
【００５０】
これに対し、変更可能な設定値としては、たとえば図９に示すように、Ｐｉｃｔｕｒｅでは（ｂ）−１に示すようなものとされ、Ａｕｄｉｏでは（ｃ）−１に示すようなものとされ、Ｐｏｗｅｒ  Ｃｏｎｔｒｏｌでは（ｄ）−１に示すようなものとされている。
【００５１】
また、図１０に示すように、Ｓｅｔｕｐでは（ｅ）−１に示すようなものとされ、Ｏｐｔｉｏｎでは（ｆ）−１に示すようなものとされ、Ｄｉｇｉｔａｌ  Ｓｅｔｕｐでは（ｇ）−１に示すようなものとされている。
【００５２】
なお、図９及び図１０では、各種設定が容易に行われるように、たとえば第１階層から第４階層までの階層構造となっている場合を示しており、テレビ画面に表示されるメニュー選択によって設定値の変更が行われるようになっている。
【００５３】
よって、テレビ２０Ａ側からはデータコピーリモコン装置１０側の変更データ要求部１５ａからの要求に応じて、初期設定値が（ｂ）〜（ｇ）に示すようなものに対し、変更可能な設定値が（ｂ）−１〜（ｇ）−１に示すようなもので変更された部分の変更データのみがデータコピーリモコン装置１０側に出力されることになる。なお、初期設定値が（ａ）で示すＳＴＡＤＡＲＤは固定であるため、変更データとしては取り扱われないものである。
【００５４】
そして、図６に示すように、データコピーリモコン装置１０側では、テレビ２０Ａ側からの画質や音質等の変更分のみの変更データを受け取ると、その変更データがたとえばメモリバンク１５ｃのいずれかのメモリ領域に保存される（ステップＳ３）。この場合、ＭＥＭＯＲＹ・ＳＥＬＥＣＴボタン１０ｊを操作して、保存すべき１〜３のうちのいずれかのメモリ領域を選択しておけばよい。
【００５５】
次いで、テレビ２０Ａ側から受け取った上記の変更分のみの変更データを他のテレビ２０ａへ送信する際、コピーしたいテレビ２０ａ側の設定値を全て（ａ）〜（ｇ）もしくは変更データが存在しないものに関して初期設定値に戻しておく。
【００５６】
この状態で、ＭＥＭＯＲＹ・ＳＥＬＥＣＴボタン１０ｊを操作し、テレビ２０Ａ側から受け取って保存したメモリ領域の１〜３のいずれか選択しておき、データコピーリモコン装置１０の信号送信部１２をテレビ２０ａ側に向け、ＴＥＡＣＨボタン１０ｆを操作すると（ステップＳ４）、変更データ送信制御部１５ｂによって、上記の変更分のみの変更データがテレビ２０ａ側へ送信される（ステップＳ５）。なお、その変更データが送信される際には、上述したように、書換要求を示す書換要求コマンドも送信される。
【００５７】
これにより、変更分のみの変更データを受け取ったテレビ２０ａ側では、テレビ２０Ａ側で設定された内容と同じになるように、その書換要求コマンドに基づき、上述した制御ユニット２６によりデータメモリ２７内の設定値が変更分のみの変更データに応じて変更される（ステップＳ６）。
【００５８】
このようにして、順に他のテレビ２０ａの設定値を上述した初期設定値（ａ）〜（ｇ）もしくは変更データが存在しないものに関して初期設定値に戻しておいて、データコピーリモコン装置１０から変更分のみの変更データを送信することにより、全てのテレビ２０ａの設定値をテレビ２０Ａ側で設定された内容と同じになるように変更することができる。
【００５９】
このように、本実施例では、ＬＥＡＲＮボタン１０ｅによるマスターとなるテレビ２０Ａの設定に関わる設定データの転送要求を行う操作に応じて、変更データ要求部１５ａによりテレビ２０Ａの初期設定値に対する変更分のみの変更データの転送が要求され、その要求に応じてテレビ２０Ａの第１制御手段である制御ユニット２６から転送される変更データがメモリバンク１５ｃに保存され、ＴＥＡＣＨボタン１０ｆによる変更データを他のテレビ２０ａへ送信する操作に応じて保存された変更データを変更データ送信制御部１５ｂにより他のテレビ２０ａへ送信し、そのテレビ２０ａの設定が第２制御手段である制御ユニット２６によりテレビ２０Ａの設定に合わせられるようにした。
【００６０】
これにより、テレビ２０ａの設定をテレビ２０Ａの設定に合わせるために送信するデータ量を少なくすることができ、データ送信に要する時間を大幅に短縮することができる。
【産業上の利用可能性】
【００６１】
テレビに限らず、ＨＤＤプレーヤ等の記録再生装置における設定においても適用可能である。
【図面の簡単な説明】
【００６２】
【図１】本発明の設定データ変更システムの一実施例の概要を説明するための図である。
【図２】図１のデータコピーリモコン装置の一例を示す正面図である。
【図３】図１のデータコピーリモコン装置の一例を示す斜視図である。
【図４】図１データコピーリモコン装置の内部構成の一例を示すブロック図である。
【図５】図１のテレビの内部構成の一例を示すブロック図である。
【図６】図１の設定データ変更システムにおける設定データ変更方法について説明するためのフローチャートである。
【図７】図１の設定データ変更システムにおける設定データ変更方法の概要について説明するための図である。
【図８】図１のテレビにおける、工場出荷時に予め設定されている初期設定値を説明するための図である。
【図９】図１のテレビにおける、変更可能な設定値を説明するための図である。
【図１０】図１のテレビにおける、変更可能な設定値を説明するための図である。
【符号の説明】
【００６３】
１０  データコピーリモコン装置
１０ａ  ＬＥＡＲＮランプ（転送要求告知手段）
１０ｂ  ＤＯＮＥランプ
１０ｃ  ＴＥＡＣＨランプ（送信告知手段）
１０ｄ  ＭＥＭＯＲＹ・ＳＥＬＥＣＴランプ
１０ｅ  ＬＥＡＲＮボタン（転送要求操作手段）
１０ｆ  ＴＥＡＣＨボタン（送信操作手段）
１０ｇ  ＲＯＯＭボタン
１０ｈ  ＭＡＳＴＥＲボタン
１０ｉ  ＤＩＡＧＮＯＳＴＩＣＳボタン
１０ｊ  ＭＥＭＯＲＹ・ＳＥＬＥＣＴボタン
１１  コネクタ
１２  信号送信部
１４  ランプ駆動回路
１５ａ  変更データ要求部（変更データ要求手段）
１５ｂ  変更データ送信制御部（変更データ送信手段）
１５ｃ  メモリバンク（保存手段）
１７  ボタン選択受付部
１９  バス
２０Ａ，２０ａ  テレビ
２１  アンテナ
２１ａ  クロック信号線
２１ｂ  データ信号線
２２  チューナ
２３  信号処理回路
２４  表示部
２５  信号受信部
２６  制御ユニット｛第１制御手段（又は第２制御手段）｝
２７  データメモリ
２８  スイッチ
２９  コネクタ
【図１】
2007174290.tif 000003
【図２】
2007174290.tif 000004
【図３】
2007174290.tif 000005
【図４】
2007174290.tif 000006
【図５】
2007174290.tif 000007
【図６】
2007174290.tif 000008
【図７】
2007174290.tif 000009
【図８】
2007174290.tif 000010
【図９】
2007174290.tif 000011
【図１０】
2007174290.tif 000012